(57)【要約】【課題】ＡＭラジオ放送信号に含まれる音声情報を聴き取りやすくすることが可能になる、ラジオ受信機を提供すること。【解決手段】ラジオ受信機３０は、床頭台に設置されるラジオ受信機３０であり、ＡＭラジオ放送信号を第１変換装置又は第２変換装置を介して受信して放送するラジオ受信機３０であって、第１変換装置又は第２変換装置によってＡＭラジオ放送信号からＦＭラジオ放送信号に変換された変換信号の入力を受け付けるラジオ放送信号入力部７２ａと、ラジオ放送信号入力部７２ａにて受け付けられた変換信号に含まれる音声情報を音声出力部７２ｅによって出力させる出力制御部７４ａと、を備えている。【選択図】図５
2017192015.tif 000002
【特許請求の範囲】
【請求項１】
床頭台に設置されるラジオ受信機であり、ＡＭラジオ放送信号を変換手段を介して受信して放送するラジオ受信機であって、
前記変換手段によって前記ＡＭラジオ放送信号からＦＭラジオ放送信号に変換された変換信号の入力を受け付けるラジオ放送信号入力手段と、
前記ラジオ放送信号入力手段にて受け付けられた前記変換信号に含まれる音声情報を音声出力手段によって出力させる出力制御手段と、
を備えたラジオ受信機。
【請求項２】
外部装置から外部音声信号の入力を受け付ける外部音声信号入力手段を備え、
前記出力制御手段は、
前記外部音声信号入力手段にて受け付けられた前記外部音声信号に含まれる音声情報を前記音声出力手段によって出力させる、
請求項１に記載のラジオ受信機。
【請求項３】
前記出力制御手段は、
当該ラジオ受信機の電源がオン状態である場合に、前記ラジオ放送信号入力手段にて受け付けられた前記変換信号に含まれる音声情報を前記音声出力手段によって出力させ、
当該ラジオ受信機の電源がオフ状態である場合に、前記外部音声信号入力手段にて受け付けられた前記外部音声信号に含まれる音声情報を前記音声出力手段によって出力させる、
請求項２に記載のラジオ受信機。
【発明の詳細な説明】
【技術分野】
【０００１】
本発明は、ラジオ受信機に関する。
【背景技術】
【０００２】
従来、ラジオ放送を受信して出力する装置の１つとして、ＡＭラジオ放送信号に含まれる音声情報のみを復調可能な第１の受信モードと、ＦＭラジオ放送信号に含まれる音声情報及び文字情報の両方を復調可能な第２の受信モードとを切り替え可能な装置が提案されている（例えば、特許文献１参照）。
【先行技術文献】
【特許文献】
【０００３】
【特許文献１】特開平８−３１６８６１号公報
【発明の概要】
【発明が解決しようとする課題】
【０００４】
ここで、ＡＭラジオ放送の電波は、ＦＭラジオ放送の電波に比べて周波数が低いため、例えば鉄筋コンクリートの建物の内部において届きにくいことが知られている。このため、上記従来の装置が鉄筋コンクリートの建物の内部に設置されると、当該装置がＡＭラジオ放送信号を受信しにくくなるので、ユーザがＡＭラジオ放送信号に含まれる音声情報を聴き取りづらくなるおそれがあることから、当該音声情報を聴き取りやすくする観点から改善の余地があった。
【０００５】
本発明は、上記従来技術における課題を解決するためのものであって、ＡＭラジオ放送信号に含まれる音声情報を聴き取りやすくすることが可能になる、ラジオ受信機を提供することを目的とする。
【課題を解決するための手段】
【０００６】
上述した課題を解決し、目的を達成するために、請求項１に記載のラジオ受信機は、床頭台に設置されるラジオ受信機であり、ＡＭラジオ放送信号を変換手段を介して受信して放送するラジオ受信機であって、前記変換手段によって前記ＡＭラジオ放送信号からＦＭラジオ放送信号に変換された変換信号の入力を受け付けるラジオ放送信号入力手段と、前記ラジオ放送信号入力手段にて受け付けられた前記変換信号に含まれる音声情報を音声出力手段によって出力させる出力制御手段と、を備えた。
【０００７】
請求項２に記載のラジオ受信機は、請求項１に記載のラジオ受信機において、外部装置から外部音声信号の入力を受け付ける外部音声信号入力手段を備え、前記出力制御手段は、前記外部音声信号入力手段にて受け付けられた前記外部音声信号に含まれる音声情報を前記音声出力手段によって出力させる。
【０００８】
請求項３に記載のラジオ受信機は、請求項１又は２に記載のラジオ受信機において、前記出力制御手段は、当該ラジオ受信機の電源がオン状態である場合に、前記ラジオ放送信号入力手段にて受け付けられた前記変換信号に含まれる音声情報を前記音声出力手段によって出力させ、当該ラジオ受信機の電源がオフ状態である場合に、前記外部音声信号入力手段にて受け付けられた前記外部音声信号に含まれる音声情報を前記音声出力手段によって出力させる。
【発明の効果】
【０００９】
請求項１に記載のラジオ受信機によれば、変換手段によってＡＭラジオ放送信号からＦＭラジオ放送信号に変換された変換信号の入力を受け付けるラジオ放送信号入力手段と、ラジオ放送信号入力手段にて受け付けられた変換信号に含まれる音声情報を音声出力手段によって出力させる出力制御手段とを備えているので、変換手段によってＡＭラジオ放送信号からＦＭラジオ放送信号に変換された変換信号に含まれる音声情報を出力でき、ＡＭラジオ放送の電波が入りにくい位置（例えば、建物の内部のうち窓側よりも建物の内側の位置等）に当該ラジオ受信機が設置された場合に、従来のラジオ受信機に比べて、ユーザがＡＭラジオ放送信号（変換信号）に含まれる音声情報を聴き取りやすくなる。
【００１０】
請求項２に記載のラジオ受信機によれば、出力制御手段が、外部音声信号入力手段にて受け付けられた外部音声信号に含まれる音声情報を音声出力手段によって出力させるので、ＡＭラジオ放送信号に含まれる音声情報の出力に加えて、外部音声信号に含まれる音声情報を出力することができ、ユーザのニーズに応じた多様な音声情報をユーザに提供することが可能となる。
【００１１】
請求項３に記載のラジオ受信機によれば、出力制御手段が、当該ラジオ受信機の電源がオン状態である場合に、ラジオ放送信号入力手段にて受け付けられた変換信号に含まれる音声情報を音声出力手段によって出力させ、当該ラジオ受信機の電源がオフ状態である場合に、外部音声信号入力手段にて受け付けられた外部音声信号に含まれる音声情報を音声出力手段によって出力させるので、当該ラジオ受信機の電源状態に応じてＡＭラジオ放送信号に含まれる音声情報の出力と、外部音声信号に含まれる音声情報の出力とを切り替えることができ、ユーザが手動で切り替える必要がなくなるので、ユーザの利便性の向上を図ることができる。
【図面の簡単な説明】
【００１２】
【図１】本発明の実施の形態に係る放送システムを示す概要図である。
【図２】テレビ受像機及びラジオ受信機の設置状況を示す図である。
【図３】ラジオ受信機の構造を示す斜視図である。
【図４】ラジオ受信機を示す図であり、（ａ）は正面図、（ｂ）は平面図、（ｃ）は背面図、（ｄ）は（ｂ）のＡ−Ａの矢視断面図である。
【図５】ラジオ受信機の電気的構成を示したブロック図である。
【図６】周波数テーブルに格納されている情報を例示する図である。
【図７】ラジオ放送出力処理のフローチャートである。
【図８】外部音声出力処理のフローチャートである。
【発明を実施するための形態】
【００１３】
以下に添付図面を参照して、この発明に係る扉の実施の形態を詳細に説明する。まず、〔Ｉ〕実施の形態の基本的概念について説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１４】
〔Ｉ〕実施の形態の基本的概念
まず、実施の形態の基本的概念について説明する。実施の形態は、概略的に、建物の内部に位置する床頭台に設置されるラジオ受信機であり、ＡＭラジオ放送信号を変換手段を介して受信して放送するラジオ受信機に関するものである。
【００１５】
ここで、「建物」とは、その具体的な構造や種類は任意であるが、例えば、戸建て住宅、アパートやマンションの如き集合住宅、オフィスビル、及び、病院の如き公共施設等を含む概念であるが、実施の形態では、複数の病室を有する病院の病棟として説明する。「床頭台」とは、建物の内部に設置されたベッドの近傍に設置される台であって、ユーザの身の回り品等を収納するための台であり、例えば、固定式の床頭台、移動式の床頭台等を含む概念である。「変換手段」とは、ＡＭラジオ放送信号をＦＭラジオ放送信号に変換する手段であり、具体的には、建物の内部又は外部に設置されるラジオ放送変換器等を含む概念である。
【００１６】
〔ＩＩ〕実施の形態の具体的内容
次に、実施の形態の具体的内容について説明する。
【００１７】
（構成）
最初に、実施の形態に係るラジオ受信機が適用される放送システムについて説明する。図１は、本発明の実施の形態に係る放送システムを示す概要図である。図２は、テレビ受像機及びラジオ受信機の設置状況を示す図である。また、以下の説明では、図２のＸ方向を放送システムの左右方向（−Ｘ方向を放送システムの左方向、＋Ｘ方向を放送システムの右方向）、後述する図３のＹ方向を放送システムの前後方向（＋Ｙ方向を放送システムの前方向、−Ｙ方向を放送システムの後方向）、図２のＺ方向を放送システムの上下方向（＋Ｚ方向を放送システムの上方向、−Ｚ方向を放送システムの下方向）と称する。
【００１８】
図１に示すように、放送システム１は、各種の放送（例えば、ＡＭラジオ放送、ＦＭラジオ放送、地上波デジタル放送、衛星放送等）を行うためのシステムであり、概略的に、放送受信システム１０、テレビ受像機２０、及びラジオ受信機３０を備えて構成されている。
【００１９】
ここで、放送システム１の構成については、具体的には、放送受信システム１０が１つ以上設けられ、この１つ以上の放送受信システム１０に対して、テレビ受像機２０及びラジオ受信機３０の各々が１つ以上設けられる。以下、実施の形態では、１つの放送受信システム１０に対して、テレビ受像機２０及びラジオ受信機３０の各々が複数設けられているものとして説明する。ただし、これに限られず、例えば、１つの放送受信システム１０に対して、テレビ受像機２０及びラジオ受信機３０が１つずつ設けられてもよい。あるいは、複数の放送受信システム１０に対して、テレビ受像機２０及びラジオ受信機３０が複数設けられたり、又は、複数の放送受信システム１０に対して、テレビ受像機２０及びラジオ受信機３０が１つずつ設けられてもよい。
【００２０】
（構成−放送受信システム）
次に、放送受信システム１０の構成について説明する。放送受信システム１０は、各種の放送信号（例えば、ＡＭラジオ放送信号、ＦＭラジオ放送信号、地上デジタル放送信号、衛星放送信号（一例として、ＢＳ放送信号、ＣＳ放送信号）等）を受信するためのシステムであり、図１に示すように、ＡＭアンテナ１１、ＦＭアンテナ１２、ＵＨＦアンテナ１３、ＢＳＣＳアンテナ１４、第１ブースタ１５、第２ブースタ１６、第３ブースタ１７、第１変換装置１８、及び第２変換装置１９を備えて構成されている。ここで、放送受信システム１０の構成要素の接続形態については、以下に示す通りに設定されている。具体的には、第１ブースタ１５は、ＡＭアンテナ１１、第１変換装置１８、及び第２変換装置１９の各々と配線４を介して接続されている。また、第２ブースタ１６は、第１変換装置１８、第２変換装置１９、ＦＭアンテナ１２、第３ブースタ１７、テレビ受像機２０、ラジオ受信機３０の各々と配線４を介して接続されている。また、第３ブースタ１７は、ＢＳＣＳアンテナ１４及びＵＨＦアンテナ１３の各々と配線４を介して接続されている。このような接続により、各種のアンテナにて受信された放送信号に含まれる音声情報又は映像信号をテレビ受像機２０又はラジオ受信機３０に通信することが可能となる。
【００２１】
（構成−放送受信システム−ＡＭアンテナ、ＦＭアンテナ、ＵＨＦアンテナ、ＢＳＣＳアンテナ）
ＡＭアンテナ１１は、ＡＭラジオ放送信号を受信して第１ブースタ１５に出力するための無線受信手段であり、例えば公知のＡＭラジオ用のアンテナ等で構成されている。ＦＭアンテナ１２は、ＦＭラジオ放送信号を受信して第２ブースタ１６に出力するための無線受信手段であり、例えば公知のＦＭラジオ用のアンテナ等で構成されている。ＵＨＦアンテナ１３は、地上デジタル放送信号を受信して第３ブースタ１７に出力するための無線受信手段であり、例えば公知の地上デジタル放送用のアンテナ等で構成されている。ＢＳＣＳアンテナ１４は、衛星放送信号を受信して第３ブースタ１７に出力するための無線受信手段であり、例えば公知の衛星放送用のアンテナ等で構成されている。これら各種のアンテナの設置方法については、具体的には、建物２における各種の放送信号を受信可能な位置に設置しており、例えば、建物２の外部のうち屋上やベランダや、建物２の内部のうち窓側近傍等に設置している。
【００２２】
（構成−放送受信システム−第１ブースタ、第２ブースタ、第３ブースタ）
第１ブースタ１５は、ＡＭアンテナ１１から入力されたＡＭラジオ放送信号を増幅して第１変換装置１８及び第２変換装置１９に出力する第１増幅手段であり、例えば公知のＡＭラジオ用のブースタ等で構成されている。第２ブースタ１６は、ＦＭアンテナ１２から入力されたＦＭラジオ放送信号、又は、第１変換装置１８若しくは第２変換装置１９から入力された後述する変換信号を増幅してラジオ受信機３０に出力する第２増幅手段であり、例えば公知のＦＭラジオ用のブースタ等で構成されている。第３ブースタ１７は、ＵＨＦアンテナ１３から入力された地上デジタル放送信号又はＢＳＣＳアンテナ１４から入力された衛星放送信号を増幅して第２ブースタ１６に出力する第３増幅手段であり、例えば公知のテレビ放送用のブースタ等で構成されている。なお、実施の形態では、第２ブースタ１６において、第３ブースタ１７から入力された地上デジタル放送信号又は衛星放送信号は、増幅されることなくテレビ受像機２０に出力される。また、これら各種のブースタの設置方法については任意であるが、例えば、入力される放送信号を効果的に増幅することが可能な位置に設置したり、又は図示しない外部電源（例えば、交流電源）から電力を供給しやすい位置に設置することが望ましく、一例として、建物２の外部又は内部において、放送信号の入力先の機器の近傍位置又は外部電源の近傍位置に設置してもよい。
【００２３】
（構成−放送受信システム−第１変換装置、第２変換装置）
第１変換装置１８及び第２変換装置１９は、第１ブースタ１５から入力されたＡＭラジオ放送信号をＦＭラジオ放送信号に変換し、当該変換した信号（以下、「変換信号」と称する）をラジオ受信機３０に出力するための変換手段である。これら第１変換装置１８及び第２変換装置１９は、実施の形態では、第１ブースタ１５から入力されたＡＭラジオ放送信号のうち、１つのチャンネルに対応する信号だけをＦＭラジオ放送信号に変換可能な公知のラジオ放送変換器等を用いて構成されており、具体的には、第１変換装置１８及び第２変換装置１９において、それぞれ異なるチャンネルに対応する信号がＦＭラジオ放送信号に変換されるように設定されていることで、ラジオ受信機３０がＡＭラジオ放送信号のうち２つのチャンネルに対応する信号に含まれる音声情報を出力することが可能となる。また、これら第１変換装置１８及び第２変換装置１９の設置方法については任意であるが、例えば、外部電源から電力を供給しやすい位置に設置することが望ましく、一例として、建物２の外部又は内部において外部電源の近傍位置に設置してもよい。
【００２４】
（構成−テレビ受像機）
次に、テレビ受像機２０の構成について説明する。テレビ受像機２０は、第２ブースタ１６から入力された地上デジタル放送信号又は衛星放送信号を受信して放送する外部装置である。このテレビ受像機２０は、例えば公知のテレビ受像機等を用いて構成されており、図２に示すように、建物２の内部（例えば、建物２の各病室等）に位置する床頭台３のテレビ収納部３ａにおいて、テレビ受像機２０の一部（図２では、テレビ受像機２０の前側部分）が外部に露出するように収納（設置）されている。また、実施の形態においては、テレビ受像機２０から出力される音声情報（具体的には、地上デジタル放送信号又は衛星放送信号に含まれる音声情報）を含む信号（以下、「外部音声信号」と称する）をラジオ受信機３０に出力できるように、テレビ受像機２０は、ラジオ受信機３０（具体的には、後述する入出力部７２の外部音声信号入力部７２ｂ）と配線４（例えば、外部音声信号を送信することが可能な公知のＡＶケーブル（一例として、同軸ケーブル等））を介して接続されている。
【００２５】
（構成−ラジオ受信機）
次に、ラジオ受信機３０の構成について説明する。図３は、ラジオ受信機３０の構造を示す斜視図である。図４は、ラジオ受信機３０を示す図であり、（ａ）は正面図、（ｂ）は平面図、（ｃ）は背面図、（ｄ）は（ｂ）のＡ−Ａの矢視断面図である。図５は、ラジオ受信機３０の電気的構成を示したブロック図である。なお、図３においては、後述するラジオ受信機３０のカバー部６０を省略して示す。ラジオ受信機３０は、ＡＭラジオ放送信号を第１変換装置１８又は第２変換装置１９を介して受信して放送する装置である。このラジオ受信機３０は、図２に示すように、上記床頭台３のラジオ収納部３ｂにおいて、ラジオ受信機３０の一部（図２では、ラジオ受信機３０の前側部分）が外部に露出するように収納（設置）されており、図３、図４に示すように、筐体４０及び回路基板７０を備えて構成されている。
【００２６】
（構成−ラジオ受信機−筐体）
筐体４０は、ラジオ受信機３０の基本構造体であり、回路基板７０を外部から保護する保護手段である。図３、図４に示すように、筐体４０は、中空の箱状体にて形成されており、３つの側面（例えば筐体４０の上面、左面、右面等）を開放したベース部５０と、このベース部５０をその開放面側から略覆うカバー部６０とを備えて構成され、カバー部６０の内部に設けられた接続部分（図示省略）がベース部５０に対して固定ネジ等によって接続されている。
【００２７】
また、図４（ａ）に示すように、ベース部５０の前側部５１には、第１操作口５１ａ、表示口５１ｂ、第２操作口５１ｃ、第３操作口５１ｄ、及び第１挿通口５１ｅが設けられている（図４（ａ）では、これらが左から右に向かう順に設けられている）。このうち、第１操作口５１ａは、後述する操作部７１の電源スイッチ７１ａの一部を外部に露出するための開口であり、第２操作口５１ｃは、後述する操作部７１のチャンネルスイッチ７１ｂの一部を外部に露出するための開口であり、第３操作口５１ｄは、後述する操作部７１の音量スイッチ７１ｃの一部を外部に露出するための開口である。また、第１挿通口５１ｅは、後述する入出力部７２の音声出力部７２ｅを外部に露出するための開口であり、表示口５１ｂは、後述する表示部７３の一部を外部に露出するための開口である。また、、図４（ｃ）に示すように、ベース部５０の後側部５２には、第４操作口５２ａ、第２挿通口５２ｂ、第３挿通口５２ｃ、第４挿通口５２ｄ、及び第５挿通口５２ｅが設けられている（図４（ｃ）では、これらが左から右に向かう順に設けられている）。このうち、第４操作口５２ａは、後述する操作部７１のＡＴＴスイッチ７１ｄの一部を外部に露出するための開口である。また、第２挿通口５２ｂは、後述する入出力部７２のラジオ放送信号入力部７２ａの一部を外部に露出するための開口であり、第３挿通口５２ｃは、後述する入出力部７２の外部音声信号入力部７２ｂの一部を外部に露出するための開口であり、第４挿通口５２ｄは、後述する入出力部７２の電源入力部７２ｃの一部を外部に露出するための開口であり、第５挿通口５２ｅは、後述する入出力部７２のデータ入出力部７２ｄの一部を外部に露出するための開口である。
【００２８】
（構成−ラジオ受信機−回路基板）
回路基板７０は、ラジオ受信機３０の各種機能を実現するための電気回路（図示省略）が実装された基板であり、図３、図４（ｄ）に示すように、ベース部５０に対して固定具等によって固定されている。また、この回路基板７０には、従来のラジオ受信機に用いられるものと同様の公知の電子部品が実装されていると共に、図５に示すように、操作部７１、入出力部７２、表示部７３、制御部７４、及びデータ記録部７５も実装されている。なお、この回路基板７０は、例えば公知の回路基板によって構成することができるので、その詳細な説明を省略する。
【００２９】
（構成−ラジオ受信機−回路基板−操作部）
操作部７１は、ラジオ受信機３０に対する操作入力を受け付けるものであり、電源スイッチ７１ａ、チャンネルスイッチ７１ｂ、音量スイッチ７１ｃ、及びＡＴＴスイッチ７１ｄを備えている。このうち、電源スイッチ７１ａは、ラジオ受信機３０の電源状態を切り替えるためのスイッチであり、第１操作口５１ａを介して筐体４０の外部に露出されるように配置されている。ここで、電源スイッチ７１ａによるラジオ受信機３０の電源状態の切り替えの詳細については、実施の形態では、後述する出力処理を実行可能となるように、以下に示す通りに切り替えられる。すなわち、上記電源状態がオン状態に切り替えられた場合には、回路基板７０の全ての構成要素の電源がオン状態となるように切り替える。一方、上記電源状態がオフ状態に切り替えられた場合には、回路基板７０のうち、制御部７４の電源がオン状態となると共に、その他の構成要素の電源がオフ状態となるように切り替える。チャンネルスイッチ７１ｂは、後述する周波数テーブル７５ａに記憶された後述する周波数特定情報に基づいて、放送の対象になる周波数を選択する選択手段であり、第２操作口５１ｃを介して筐体４０の外部に露出されるように配置されている。ここで、このチャンネルスイッチ７１ｂの選択方法については任意であるが、実施の形態では、チャンネルスイッチ７１ｂに取り付けられている複数の切替端子（例えば、９つの切替端子等）の各々が、後述するデータ記録部７５の周波数テーブル７５ａに記憶された後述する周波数特定情報と関連付けられている場合に、チャンネルスイッチ７１ｂに対して、ユーザによって所定操作が行われた場合には、当該操作に対応するチャンネルスイッチ７１ｂの切替端子に関連付けられた周波数特定情報に基づいて、放送の対象になる周波数を選択する。音量スイッチ７１ｃは、後述する入出力部７２のラジオ放送信号入力部７２ａと配線４を介して接続された図示しない外部音声出力装置（例えば、イヤホン等）から出力される音量の調節を指示するためのスイッチである。ＡＴＴスイッチ７１ｄは、ラジオ放送信号入力部７２ａに入力される信号の入力レベルを調整するためのスイッチである。また、これら電源スイッチ７１ａ、チャンネルスイッチ７１ｂ、音量スイッチ７１ｃ、及びＡＴＴスイッチ７１ｄの具体的な構成については任意であるが、実施の形態では、電源スイッチ７１ａ、チャンネルスイッチ７１ｂ、音量スイッチ７１ｃは、公知のプッシュスイッチ（例えば、タクタイルスイッチ等）を用いて構成されており、ＡＴＴスイッチ７１ｄは公知のスライドスイッチを用いて構成されている。また、電源スイッチ７１ａ、チャンネルスイッチ７１ｂ、及び音量スイッチ７１ｃの固定方法については任意であるが、実施の形態では、電源スイッチ７１ａ、チャンネルスイッチ７１ｂ、又は音量スイッチ７１ｃが操作された場合に、当該操作される力（押圧力）によって回路基板７０が損傷することを抑制できるように固定している。具体的には、図４（ｄ）に示すように、電源スイッチ７１ａ、チャンネルスイッチ７１ｂ、及び音量スイッチ７１ｃの各々を回路基板７０に対して固定具等によって固定していると共に、回路基板７０に対して立設され、且つカバー部６０に保持された受け板７０ａに形成された嵌め込むことで当該受け板７０ａに対して固定している。このような固定方法により、上記操作される力を受け板７０ａと回路基板７０とに分散させることができるので、単に電源スイッチ７１ａ、チャンネルスイッチ７１ｂ、及び音量スイッチ７１ｃを回路基板７０に固定している場合に比べて、上記操作されるが回路基板７０のみに加えられることを回避でき、回路基板７０の損傷を抑制できる。
【００３０】
（構成−ラジオ受信機−回路基板−入出力部）
図５に戻り、入出力部７２は、各種の装置との相互間で配線４を介して各種の信号又は電力の入出力を行うための入出力手段であり、ラジオ放送信号入力部７２ａ、外部音声信号入力部７２ｂ、電源入力部７２ｃ、データ入出力部７２ｄ、及び音声出力部７２ｅを備えている。このうち、ラジオ放送信号入力部７２ａは、第２ブースタ１６との相互間で、変換信号又はＦＭラジオ放送信号の入力を受け付けるラジオ放送信号入力手段であり、例えば公知のラジオ用の入力端子等を用いて構成されており、第２挿通口５２ｂを介して筐体４０の外部に露出されるように配置されている。外部音声信号入力部７２ｂは、テレビ受像機２０との相互間で外部音声信号の入力を受け付ける外部音声信号入力手段であり、例えば公知の音声入力端子等を用いて構成されており、第３挿通口５２ｃを介して筐体４０の外部に露出されるように配置されている。電源入力部７２ｃは、外部電源との相互間で電力の入力を受け付ける電源入力手段であり、例えば公知の電源用入力端子等を用いて構成されており、第４挿通口５２ｄを介して筐体４０の外部に露出されるように配置されている。データ入出力部７２ｄは、図示しないデータ入出力装置（例えば、パーソナルコンピュータ等）との相互間で各種の信号の入力を受け付けるデータ入出力手段であり、第５挿通口５２ｅを介して筐体４０の外部に露出されるように配置されている。音声出力部７２ｅは、外部音声出力装置に対して各種の音声情報を出力する音声出力手段であり、例えば公知の音声出力端子（一例として、イヤホンジャック）等を用いて構成されており、第１挿通口５１ｅを介して筐体４０の外部に露出されるように配置されている。この音声出力部７２ｅの具体的な構成については任意であるが、実施の形態では、音声出力部７２ｅの交換が容易となるように、音声出力部７２ｅを回路基板７０に対して着脱自在に固定可能な固定体と一体化した構造（いわゆるユニット構造）として構成されている。このような構成により、音声出力部７２ｅを回路基板７０に対して半田付けで固定する場合に比べて、音声出力部７２ｅを容易に取り外すことができるので、音声出力部７２ｅの交換が容易となる。
【００３１】
（構成−ラジオ受信機−回路基板−表示部）
表示部７３は、制御部７４の制御に基づいて各種の情報（例えば、チャンネルスイッチ７１ｂにて選択されている後述するチャンネル名情報等）を表示する表示手段であり、例えば、７セグメントディスプレイ等の公知の表示手段を用いて構成されており、表示口５１ｂを介して筐体４０の外部に露出されるように配置されている。また、この表示部７３の表示方法については任意であるが、例えば、表示部７３の表示に関連する動作（一例として、後述するラジオ放送出力処理の起動動作や、後述するラジオ放送出力処理時におけるチャンネルスイッチ７１ｂの切替操作に関する動作）が行われてから所定時間が経過するまでは、最大の明度で各種の情報を表示し、所定時間が経過すると、最大の明度よりも低い明度で各種の情報を表示してもよい。これにより、最大の明度で各種の情報を継続して表示する場合に比べて、消費電力を抑制できると共に、表示部７３の明度によってユーザが目障りと感じることを抑制できる。
【００３２】
（構成−ラジオ受信機−回路基板−制御部）
制御部７４は、ラジオ受信機３０の各部を制御する制御手段である。この制御部７４は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである。
【００３３】
また、この制御部７４は、機能概念的に、出力制御部７４ａを備えている。出力制御部７４ａは、ラジオ放送信号入力部７２ａにて受け付けられた変換信号に含まれる音声情報を音声出力部７２ｅによって出力させる出力制御手段である。
【００３４】
（構成−ラジオ受信機−回路基板−データ記録部）
データ記録部７５は、ラジオ受信機３０の動作に必要なプログラム及び各種のデータを記録する記録手段であり、例えば、書き換え可能な記録媒体を用いて構成され、例えばフラッシュメモリ等の不揮発性記録媒体を用いることができる。
【００３５】
また、このデータ記録部７５は、周波数テーブル７５ａを備えて構成されている。この周波数テーブル７５ａは、変換信号又はＦＭラジオ放送信号の周波数を特定する周波数特定情報を記憶する記憶手段である。図６は、周波数テーブル７５ａに格納されている情報を例示する図である。図６に示すように、周波数テーブル７５ａには、テーブル項目「チャンネル」、及び「周波数（ＭＨｚ）」に対応する情報が相互に関連付けて格納されている。項目「チャンネル」に対応して格納される情報は、チャンネルスイッチ７１ｂの切替端子に対応するチャンネル名を特定するチャンネル名情報であり、例えば「ＣＨ１」等が格納されている。項目「周波数（ＭＨｚ）」に対応して格納される情報は、周波数特定情報である。実施の形態では、周波数テーブル７５ａには、変換信号の周波数特定情報及びＦＭラジオ放送信号の周波数特定情報の各々が少なくとも１つ以上格納されている。例えば、図６に示すように、チャンネル＝ＣＨ１に対応する周波数特定情報を第１変換装置１８によって変換された変換信号の周波数特定情報として、周波数（ＭＨｚ）＝９０．０が格納されている。また、チャンネル＝ＣＨ２に対応する周波数特定情報を第２変換装置１９によって変換された変換信号の周波数特定情報として、周波数（ＭＨｚ）＝９１．０が格納されている。また、チャンネル＝ＣＨ３、ＣＨ４に対応する周波数特定情報をＦＭラジオ放送信号の周波数特定情報として、周波数（ＭＨｚ）＝７６．７、７７．５が格納されている。なお、実施の形態では、周波数テーブル７５ａに格納されている周波数特定情報を変更することができ、この変更方法については、例えば、データ入出力部７２ｄにてデータ入出力装置からチャンネル名情報及び周波数特定情報を含む信号が受け付けられると、当該受け付けられた周波数特定情報を周波数テーブル７５ａに格納されている周波数特定情報のうち当該受け付けられたチャンネル名情報に対応する周波数特定情報と入れ替えることにより変更することができる。これにより、周波数テーブル７５ａに格納されている周波数特定情報を地域に応じて変更することができるので、ラジオ受信機３０の使用性を向上させることが可能となる。
【００３６】
（出力処理）
このように構成されたラジオ受信機３０によって実行される出力処理について説明する。この出力処理は、各種の放送を出力するための処理であり、ラジオ放送出力処理と、外部音声出力処理とに大別される。以下、ラジオ放送出力処理及び外部音声出力処理について説明する。
【００３７】
（出力処理−ラジオ放送出力処理）
最初に、ラジオ放送出力処理について説明する。図７は、ラジオ放送出力処理のフローチャートである。ラジオ放送出力処理は、ＡＭラジオ放送信号（変換信号）又はＦＭラジオ放送信号に含まれる音声情報を出力する処理である。このラジオ放送出力処理を実行するタイミングは任意であるが、実施の形態では、ＡＭアンテナ１１、ＦＭアンテナ１２、第１ブースタ１５、第２ブースタ１６、第１変換装置１８、第２変換装置１９、及びラジオ受信機３０の電源が投入された後に（なお、ラジオ放送出力処理においては、ＵＨＦアンテナ１３、ＢＳＣＳアンテナ１４、第３ブースタ１７、及びテレビ受像機２０の電源の投入の有無は問わない。また、ラジオ受信機３０については、電源スイッチ７１ａによってラジオ受信機３０の電源状態がオン状態（すなわち、回路基板７０の全ての構成要素の電源がオン状態）に切り替えられている。）、起動されるものとして説明する。
【００３８】
ラジオ放送出力処理が起動されると、図７に示すように、まず、ＳＡ１において制御部７４は、チャンネルスイッチ７１ｂにて選択されている周波数特定情報を特定する。
【００３９】
ＳＡ２において制御部７４は、ＳＡ１にて特定された周波数特定情報に応じた変換信号又はＦＭラジオ放送信号の入力がラジオ放送信号入力部７２ａによって受け付けられたか否かを判定する。ここで、変換信号の入力受付に関する判定方法については任意であるが、実施の形態では、上記特定された周波数特定情報が変換信号に対応する周波数特定情報（例えば、チャンネル＝ＣＨ１に対応する周波数（ＭＨｚ）＝９０．０等）である場合には、当該周波数特定情報に対応する第１変換装置１８又は第２変換装置１９から出力される変換信号の入力レベルが閾値を上回るか否かを判定し、上記入力レベルが閾値を上回る場合には、変換信号の入力が受け付けられたと判定する。また、ＦＭラジオ放送信号の入力受付に関する判定方法については任意であるが、実施の形態では、上記特定された周波数特定情報がＦＭラジオ放送信号に対応する周波数特定情報（例えば、チャンネル＝ＣＨ３に対応する周波数（ＭＨｚ）＝７６．７等）である場合に、第２ブースタ１６から出力される当該周波数特定情報に対応するＦＭラジオ放送信号の入力レベルが閾値を上回るか否かを判定し、上記入力レベルが閾値を上回る場合には、ＦＭラジオ放送信号の入力が受け付けられたと判定する。そして、制御部７４は、変換信号又はＦＭラジオ放送信号の入力が受け付けられるまで待機し（ＳＡ２、Ｎｏ）、変換信号又はＦＭラジオ放送信号の入力が受け付けられたと判定された場合（ＳＡ２、Ｙｅｓ）にＳＡ３に移行する。
【００４０】
ＳＡ３において出力制御部７４ａは、ＳＡ２にて受け付けられた変換信号又はＦＭラジオ放送信号に含まれる音声情報を音声出力部７２ｅに出力する。これにより、音声出力部７２ｅに接続された外部音声出力装置から変換信号又はＦＭラジオ放送信号に含まれる音声情報を音声出力することが可能となる。
【００４１】
ＳＡ４において制御部７４は、ラジオ受信機３０の電源状態がオフ状態であるか否かを判定する。ここで、このオフ状態の判定方法については、実施の形態では、電源スイッチ７１ａを介して電源状態がオフ状態とする操作入力が受け付けられた否かに基づいて判定し、上記操作入力が受け付けられた場合にはラジオ受信機３０の電源状態がオフ状態であると判定し、上記操作入力が受け付けられていない場合にはラジオ受信機３０の電源状態がオフ状態でないと判定する（なお、後述する外部音声出力処理のＳＢ３におけるオン状態の判定方法についても略同様とする）。そして、制御部７４は、ラジオ受信機３０の電源状態がオフ状態でないと判定された場合（ＳＡ４、Ｎｏ）にＳＡ５に移行し、ラジオ受信機３０の電源状態がオフ状態であると判定された場合（ＳＡ４、Ｙｅｓ）にラジオ放送出力処理を終了する。なお、上記ラジオ受信機３０の電源状態がオフ状態であると判定された場合において、ＵＨＦアンテナ１３、ＢＳＣＳアンテナ１４、第３ブースタ１７、及びテレビ受像機２０の電源が投入されている場合には、外部音声出力処理をスムーズに起動させることが可能となる。
【００４２】
ＳＡ５において制御部７４は、ユーザによるチャンネルスイッチ７１ｂの操作によって周波数特定情報が変更されたか否かを判定する。ここで、周波数特定情報が変更されていないと判定された場合（ＳＡ５、Ｎｏ）、制御部７４はＳＡ３に移行する。これにより、ＳＡ１にて特定された変換信号又はＦＭラジオ放送信号（すなわち、受信中の変換信号又はＦＭラジオ放送信号）に含まれる音声情報の出力を継続させることができる。一方、周波数特定情報が変更されたと判定された場合（ＳＡ５、Ｙｅｓ）、制御部７４はＳＡ１に移行して、当該変更された周波数特定情報を特定する。これにより、ＳＡ３において、ＳＡ５にて変更された周波数特定情報に応じた変換信号又はＦＭラジオ放送信号に含まれる音声情報を音声出力部７２ｅに出力することができる。
【００４３】
このようなラジオ放送出力処理により、ラジオ受信機３０の電源がオン状態である場合には、チャンネルスイッチ７１ｂにて選択されている周波数特定情報に応じた変換信号又はＦＭラジオ放送信号に含まれる音声情報を出力することができる。特に、第１変換装置１８又は第２変換装置１９によってＡＭラジオ放送信号からＦＭラジオ放送信号に変換された変換信号に含まれる音声情報を出力できるので、ＡＭラジオ放送の電波が入りにくい位置（例えば、建物２の内部のうち窓側よりも建物２の内側の位置等）にラジオ受信機３０が設置された場合に、従来のラジオ受信機に比べて、ユーザがＡＭラジオ放送信号（変換信号）に含まれる音声情報を聴き取りやすくなる。
【００４４】
（出力処理−外部音声出力処理）
次に、外部音声出力処理について説明する。図８は、外部音声出力処理のフローチャートである。外部音声出力処理は、外部音声信号に含まれる音声情報を出力する処理である。この外部音声出力処理を実行するタイミングは任意であるが、実施の形態では、ＵＨＦアンテナ１３、ＢＳＣＳアンテナ１４、第２ブースタ１６、第３ブースタ１７、テレビ受像機２０、及びラジオ受信機３０の電源が投入された後に（なお、外部音声出力処理においては、ＡＭアンテナ１１、ＦＭアンテナ１２、第１ブースタ１５、第１変換装置１８、及び第２変換装置１９の電源の投入の有無は問わない。また、ラジオ受信機３０については、電源スイッチ７１ａによってラジオ受信機３０の電源状態がオフ状態（すなわち、ラジオ受信機３０の制御部７４の電源のみがオン状態）に切り替えられている。）、起動されるものとして説明する。
【００４５】
外部音声出力処理が起動されると、図８に示すように、まず、ＳＢ１において制御部７４は、テレビ受像機２０から出力される外部音声信号の入力が外部音声信号入力部７２ｂによって受け付けられたか否かを判定する。ここで、外部音声信号の入力受付に関する判定方法については任意であるが、実施の形態では、外部音声信号の入力レベルが閾値を上回るか否かを判定し、上記入力レベルが閾値を上回る場合には、外部音声信号の入力が受け付けられたと判定する。そして、制御部７４は、外部音声信号の入力が受け付けられるまで待機し（ＳＢ１、Ｎｏ）、外部音声信号の入力が受け付けられたと判定された場合（ＳＢ１、Ｙｅｓ）にＳＢ２に移行する。
【００４６】
ＳＢ２において制御部７４は、ラジオ受信機３０の電源状態がオン状態であるか否かを判定する。ここで、ラジオ受信機３０の電源状態がオン状態でないと判定された場合（ＳＢ２、Ｎｏ）、制御部７４はＳＢ３に移行する。一方、ラジオ受信機３０の電源状態がオン状態であると判定された場合（ＳＢ２、Ｙｅｓ）、制御部７４は外部音声出力処理を終了する。なお、この場合において、ＡＭアンテナ１１、ＦＭアンテナ１２、第１ブースタ１５、第１変換装置１８、第２変換装置１９の電源が投入されている場合には、ラジオ放送出力処理をスムーズに起動させることが可能となる。
【００４７】
ＳＢ３において出力制御部７４ａは、ＳＢ１にて受け付けられた外部音声信号に含まれる音声情報を音声出力部７２ｅに出力する。これにより、音声出力部７２ｅに接続された外部音声出力装置から外部音声信号に含まれる音声情報を音声出力することが可能となる。その後、制御部７４は、ＳＢ２に移行する。これにより、ラジオ受信機３０の電源状態がオフ状態を継続している場合には、外部音声信号に含まれる音声情報の出力を継続させることができる。
【００４８】
このような外部音声出力処理により、ラジオ受信機３０の電源状態がオフ状態である場合には、外部音声信号に含まれる音声情報を出力することができるので、ユーザのニーズに応じた多様な音声情報をユーザに提供することが可能となる。特に、ラジオ受信機３０の電源状態に応じてＡＭ又はＦＭラジオ放送信号に含まれる音声情報の出力と、外部音声信号に含まれる音声情報の出力とを切り替えることができ、ユーザの利便性の向上を図ることができる。
【００４９】
（実施の形態の効果）
このように実施の形態によれば、第１変換装置１８又は第２変換装置１９によってＡＭラジオ放送信号からＦＭラジオ放送信号に変換された変換信号の入力を受け付けるラジオ放送信号入力部７２ａと、ラジオ放送信号入力部７２ａにて受け付けられた変換信号に含まれる音声情報を音声出力部７２ｅによって出力させる出力制御部７４ａとを備えているので、第１変換装置１８又は第２変換装置１９によってＡＭラジオ放送信号からＦＭラジオ放送信号に変換された変換信号に含まれる音声情報を出力でき、ＡＭラジオ放送の電波が入りにくい位置（例えば、建物２の内部のうち窓側よりも建物２の内側の位置等）にラジオ受信機３０が設置された場合に、従来のラジオ受信機に比べて、ユーザがＡＭラジオ放送信号（変換信号）に含まれる音声情報を聴き取りやすくなる。
【００５０】
また、出力制御部７４ａが、外部音声信号入力部７２ｂにて受け付けられた外部音声信号に含まれる音声情報を音声出力部７２ｅによって出力させるので、ＡＭラジオ放送信号に含まれる音声情報の出力に加えて、外部音声信号に含まれる音声情報を出力することができ、ユーザのニーズに応じた多様な音声情報をユーザに提供することが可能となる。
【００５１】
また、出力制御部７４ａが、ラジオ受信機３０の電源がオン状態である場合に、ラジオ放送信号入力部７２ａにて受け付けられた変換信号に含まれる音声情報を音声出力部７２ｅによって出力させ、ラジオ受信機３０の電源がオフ状態である場合に、外部音声信号入力部７２ｂにて受け付けられた外部音声信号に含まれる音声情報を音声出力部７２ｅによって出力させるので、ラジオ受信機３０の電源状態に応じてＡＭラジオ放送信号に含まれる音声情報の出力と、外部音声信号に含まれる音声情報の出力とを切り替えることができ、ユーザが手動で切り替える必要がなくなるので、ユーザの利便性の向上を図ることができる。
【００５２】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００５３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、ＡＭラジオ放送信号に含まれる音声情報の聴き取りやすさが、従来と同程度であっても、従来と異なる構造により従来と同程度の聴き取りやすさとなっている場合には、本願の課題は解決している。
【００５４】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。例えば、ラジオ受信機３０を、相互に通信可能に構成された複数の装置に分散して構成し、これら複数の装置の一部に操作部７１、入出力部７２、及び表示部７３を設けると共に、これら複数の装置の他の一部に制御部７４及びデータ記録部７５を設けてもよい。また、ＡＭアンテナ１１、ＦＭアンテナ１２、ＵＨＦアンテナ１３、ＢＳＣＳアンテナ１４、第１ブースタ１５、第２ブースタ１６、第３ブースタ１７、第１変換装置１８、及び第２変換装置１９を、単一の装置として統合して構成してもよい。
【００５５】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００５６】
（放送受信システムについて）
上記実施の形態では、放送受信システム１０は、ＦＭアンテナ１２、ＵＨＦアンテナ１３、及びＢＳＣＳアンテナ１４を備えていると説明したが、これに限られない。例えば、放送受信システム１０の設置コストを低減するために、ＦＭアンテナ１２、ＵＨＦアンテナ１３、又はＢＳＣＳアンテナ１４の少なくとも一部を省略してもよい。この場合において、例えば、ＦＭアンテナ１２、ＵＨＦアンテナ１３、及びＢＳＣＳアンテナ１４が省略された場合には、第３ブースタ１７、テレビ受像機２０、ラジオ受信機３０の外部音声信号入力部７２ｂ、及び外部音声出力処理を省略してもよい。
【００５７】
（変換手段について）
上記実施の形態では、放送受信システム１０には、２つの変換手段（具体的には、第１変換装置１８、第２変換装置１９）を設けていると説明したが、これに限られない。例えば、聴取可能なＡＭラジオ放送をさらに増やすために、３つ以上の変換手段を設けてもよい。あるいは、放送受信システム１０の設置コストを低減するために、１つの変換手段だけを設けてもよい。
【００５８】
また、上記実施の形態では、第１変換装置１８（又は第２変換装置１９）は、第２ブースタ１６から入力されたＡＭラジオ放送信号のうち、１つのチャンネルに対応する信号だけをＦＭラジオ放送信号に変換可能な公知のラジオ放送変換器を用いて構成されていると説明したが、これに限られず、第２ブースタ１６から入力されたＡＭラジオ放送信号のうち、複数のチャンネルに対応する信号をＦＭラジオ放送信号にそれぞれ変換可能な公知のラジオ放送変換器等を用いて構成されてもよい。
【００５９】
（外部装置について）
上記実施の形態では、外部装置がテレビ受像機２０であると説明したが、これに限られず、例えば、館内放送を行う館内放送設備であってもよく、又は、有線放送を行う有線放送設備であってもよい。
【００６０】
（ラジオ受信機について）
上記実施の形態では、筐体４０におけるベース部５０の前側部５１には、第１操作口５１ａ、表示口５１ｂ、第２操作口５１ｃ、第３操作口５１ｄ、及び第１挿通口５１ｅが形成されていると説明したが、これに限られない。例えば、これらの開口に加えて、各開口の近傍部分に当該開口に対応するスイッチを示す点字情報を打刻してもよい（あるいは、これ以外にも、例えば、電源スイッチ７１ａ、チャンネルスイッチ７１ｂ、音量スイッチ７１ｃ等に点字情報を打刻してもよい）。これにより、視覚障害者による各種のスイッチの操作性を向上させることができる。
【００６１】
また、上記実施の形態では、外部電源から電源入力部７２ｃを介して電力の入力を受け付けると説明したが、これに限られない。例えば、ラジオ放送信号入力部７２ａを、変換信号又はＦＭラジオ放送信号の入力及び電力の入力が受け付け可能な入力端子で構成し、且つ、ラジオ放送信号入力部７２ａと第２ブースタ１６とを同軸ケーブルで接続することで、第２ブースタ１６からラジオ放送信号入力部７２ａを介して電力の入力を受け付けるようにしてもよい。これにより、ラジオ受信機３０の設置付近に外部電源が設けられていない場合でも、第２ブースタ１６から電力供給を受けることができる。
【００６２】
（出力処理について）
上記実施の形態では、出力処理において、ラジオ放送出力処理及び外部音声出力処理が行われると説明したが、これに限られず、例えば、これらの処理に加えて、緊急放送を行う緊急放送処理が行われてもよい。ここで、「緊急放送」とは、ＦＭラジオ放送のうち、火災や地震が発生した時に放送局等から出力される放送である。また、この緊急放送処理については、以下の通りに行われる。具体的には、ラジオ放送出力処理又は外部音声出力処理が行われている場合において、ＦＭアンテナ１２によって受信された緊急放送信号（例えば、ＤＴＭＦ信号等）の入力がラジオ放送信号入力部７２ａによって受け付けられるまで待機する。次に、ラジオ放送信号入力部７２ａによって緊急放送信号の入力が受け付けられると、制御部７４は、ラジオ放送出力処理又は外部音声出力処理を中断させた後、当該緊急放送信号に含まれる制御情報に基づいて、周波数テーブル７５ａに格納されている緊急放送に対応する周波数特定情報をチャンネルスイッチ７１ｂによって選択させ、当該選択された周波数特定情報に対応するＦＭラジオ放送信号の入力を受け付けられるまで待機する。続いて、ラジオ放送信号入力部７２ａによってＦＭラジオ放送信号の入力が受け付けられると、出力制御部７４ａは、上記受け付けられたＦＭラジオ放送信号に含まれる音声情報を音声出力部７２ｅに出力したり、表示部７３に表示したり（例えば、「０」を点滅表示等）、又は、専用のスピーカで音声出力する（例えば、「ピーピー」というブザー音で音声出力等）。これにより、ユーザが、緊急放送を聴くことができたり、又は緊急放送が行われていることを認識できるので、緊急放送に応じた措置を講じることが可能となる。
【００６３】
（付記）
付記１のラジオ受信機は、床頭台に設置されるラジオ受信機であり、ＡＭラジオ放送信号を変換手段を介して受信して放送するラジオ受信機であって、前記変換手段によって前記ＡＭラジオ放送信号からＦＭラジオ放送信号に変換された変換信号の入力を受け付けるラジオ放送信号入力手段と、前記ラジオ放送信号入力手段にて受け付けられた前記変換信号に含まれる音声情報を音声出力手段によって出力させる出力制御手段と、を備えた。
【００６４】
付記２のラジオ受信機は、付記１に記載のラジオ受信機において、外部装置から外部音声信号の入力を受け付ける外部音声信号入力手段を備え、前記出力制御手段は、前記外部音声信号入力手段にて受け付けられた前記外部音声信号に含まれる音声情報を前記音声出力手段によって出力させる。
【００６５】
付記３のラジオ受信機は、付記２に記載のラジオ受信機において、前記出力制御手段は、当該ラジオ受信機の電源がオン状態である場合に、前記ラジオ放送信号入力手段にて受け付けられた前記変換信号に含まれる音声情報を前記音声出力手段によって出力させ、当該ラジオ受信機の電源がオフ状態である場合に、前記外部音声信号入力手段にて受け付けられた前記外部音声信号に含まれる音声情報を前記音声出力手段によって出力させる。
【００６６】
（付記の効果）
付記１に記載のラジオ受信機によれば、変換手段によってＡＭラジオ放送信号からＦＭラジオ放送信号に変換された変換信号の入力を受け付けるラジオ放送信号入力手段と、ラジオ放送信号入力手段にて受け付けられた変換信号に含まれる音声情報を音声出力手段によって出力させる出力制御手段とを備えているので、変換手段によってＡＭラジオ放送信号からＦＭラジオ放送信号に変換された変換信号に含まれる音声情報を出力でき、ＡＭラジオ放送の電波が入りにくい位置（例えば、建物の内部のうち窓側よりも建物の内側の位置等）に当該ラジオ受信機が設置された場合に、従来のラジオ受信機に比べて、ユーザがＡＭラジオ放送信号（変換信号）に含まれる音声情報を聴き取りやすくなる。
【００６７】
付記２に記載のラジオ受信機によれば、出力制御手段が、外部音声信号入力手段にて受け付けられた外部音声信号に含まれる音声情報を音声出力手段によって出力させるので、ＡＭラジオ放送信号に含まれる音声情報の出力に加えて、外部音声信号に含まれる音声情報を出力することができ、ユーザのニーズに応じた多様な音声情報をユーザに提供することが可能となる。
【００６８】
付記３に記載のラジオ受信機によれば、出力制御手段が、当該ラジオ受信機の電源がオン状態である場合に、ラジオ放送信号入力手段にて受け付けられた変換信号に含まれる音声情報を音声出力手段によって出力させ、当該ラジオ受信機の電源がオフ状態である場合に、外部音声信号入力手段にて受け付けられた外部音声信号に含まれる音声情報を音声出力手段によって出力させるので、当該ラジオ受信機の電源状態に応じてＡＭラジオ放送信号に含まれる音声情報の出力と、外部音声信号に含まれる音声情報の出力とを切り替えることができ、ユーザが手動で切り替える必要がなくなるので、ユーザの利便性の向上を図ることができる。
【符号の説明】
【００６９】
１  放送システム
２  建物
３  床頭台
３ａ  テレビ収納部
３ｂ  ラジオ収納部
４  配線
１０  放送受信システム
１１  ＡＭアンテナ
１２  ＦＭアンテナ
１３  ＵＨＦアンテナ
１４  ＢＳＣＳアンテナ
１５  第１ブースタ
１６  第２ブースタ
１７  第３ブースタ
１８  第１変換装置
１９  第２変換装置
２０  テレビ受像機
３０  ラジオ受信機
４０  筐体
５０  ベース部
５１  前側部
５１ａ  第１操作口
５１ｂ  表示口
５１ｃ  第２操作口
５１ｄ  第３操作口
５１ｅ  第１挿通口
５２  後側部
５２ａ  第４操作口
５２ｂ  第２挿通口
５２ｃ  第３挿通口
５２ｄ  第４挿通口
５２ｅ  第５挿通口
６０  カバー部
７０  回路基板
７０ａ  受け板
７１  操作部
７１ａ  電源スイッチ
７１ｂ  チャンネルスイッチ
７１ｃ  音量スイッチ
７１ｄ  ＡＴＴスイッチ
７２  入出力部
７２ａ  ラジオ放送信号入力部
７２ｂ  外部音声信号入力部
７２ｃ  電源入力部
７２ｄ  データ入出力部
７２ｅ  音声出力部
７３  表示部
７４  制御部
７４ａ  出力制御部
７５  データ記録部
７５ａ  周波数テーブル
【図１】
2017192015.tif 000003
【図２】
2017192015.tif 000004
【図３】
2017192015.tif 000005
【図４】
2017192015.tif 000006
【図５】
2017192015.tif 000007
【図６】
2017192015.tif 000008
【図７】
2017192015.tif 000009
【図８】
2017192015.tif 000010